(57)【要約】      （修正有）【課題】簡素な構成で高性能化を実現することができるズームレンズを提供する。【解決手段】焦点距離が最も短い状態Ｐ１で、物体側から順に、第１レンズ群Ｇ１と、Ｆ値を変化させることが可能な第１開口絞りＳ１及び第２レンズ群Ｇ２と、Ｆ値を変化させることが可能な第２開口絞りＳ２と、第３レンズ群Ｇ３と、から構成され、焦点距離が前記最も短い状態Ｐ１から中間の状態Ｐ２を経て最も長い状態Ｐ３まで変化し、焦点距離が前記最も短い状態Ｐ１から前記中間の状態Ｐ２までのときに、前記第２開口絞りＳ２が可変となりＦ値を決定し、焦点距離が前記中間の状態Ｐ２から前記最も長い状態Ｐ３までのときに、前記第１開口絞りＳ１が可変となりＦ値を決定することを特徴とするズームレンズ。【選択図】図１
2019219450.tif 000002
【特許請求の範囲】
【請求項１】
焦点距離が最も短い状態で、物体側から順に、
レンズから構成される第１レンズ群と、
Ｆ値を変化させることが可能な第１開口絞り及びレンズから構成される第２レンズ群と、
Ｆ値を変化させることが可能な第２開口絞りと、
レンズから構成される第３レンズ群と、から構成され、
前記第１レンズ群と前記第２レンズ群との間隔及び前記第２レンズ群と前記第３レンズ群との間隔を変化させることにより、焦点距離が前記最も短い状態から中間の状態を経て最も長い状態まで変化し、
焦点距離が前記最も短い状態から前記中間の状態までのときに、前記第２開口絞りが可変となりＦ値を決定し、且つ、前記第１開口絞りは前記第２レンズ群を構成する前記レンズのなかで最も有効直径の小さいレンズの該有効直径以上の開口状態となり、
焦点距離が前記中間の状態から前記最も長い状態までのときに、前記第１開口絞りが可変となりＦ値を決定し、且つ、前記第２開口絞りは前記第２レンズ群を構成する前記レンズのなかで最も有効直径の小さいレンズの該有効直径以上の開口状態となる、ことを特徴とするズームレンズ。
【請求項２】
請求項１記載のズームレンズで、
前記第１レンズ群の屈折力は正であり、前記第２レンズ群の屈折力は負であり、前記第３レンズ群の屈折力は正であることを特徴とするズームレンズ。
【請求項３】
請求項１または２に記載のズームレンズで、前記第１レンズ群は固定されていることを特徴とするズームレンズ。
【請求項４】
請求項１乃至３のうちいずれか一項に記載のズームレンズで、
前記第１レンズ群の焦点距離をｆＧ１、前記第２レンズ群の焦点距離をｆＧ２とするとき、
０．１３＜｜ｆＧ２／ｆＧ１｜＜０．４７
を満たすことを特徴とするズームレンズ。
【請求項５】
請求項４記載のズームレンズで、焦点距離が前記最も長い状態での値をｆＴとし、焦点距離が前記最も長い状態での前記第２開口絞りによる開放Ｆ値をＦＴとし、前記第１レンズ群の最大有効半径をＹ１とするとき、
ｆＴ／（ＦＴ・Ｙ１）＞１．６５
を満たすことを特徴とするズームレンズ。
【発明の詳細な説明】
【技術分野】
【０００１】
本発明は、ズームレンズに関し、特に高倍率のズームレンズに関する。
【背景技術】
【０００２】
映像を取り込む事を目的する光学機器において１つのレンズを使用してより広い視野を写す一方、より大きな倍率で対象物を拡大して写したいという２つの要求から、大きな変倍比を持つズームレンズが求められ、開発されて来ている。このようなズームレンズは、例えば、特許文献１および特許文献２に開示されている。
【先行技術文献】
【特許文献】
【０００３】
【特許文献１】特開２０１０−１３４１０８号公報
【特許文献２】特開２００９−２１７１２２号公報
【発明の概要】
【発明が解決しようとする課題】
【０００４】
ところで、特許文献１および特許文献２に開示される高倍率のズームレンズは、性能を良くするために、大型化し、レンズ枚数も多くなっている。
本発明は上記事情に鑑みてなされたものであり、高性能でありながら、簡素な構成のズームレンズを提供することを目的とする。
【課題を解決するための手段】
【０００５】
本発明では、上記目的を達成するために、焦点距離が最も短い状態Ｐ１で、物体側から順に、レンズから構成される第１レンズ群Ｇ１と、Ｆ値を変化させることが可能な第１開口絞りＳ１及びレンズから構成される第２レンズ群Ｇ２と、Ｆ値を変化させることが可能な第２開口絞りＳ２と、レンズから構成される第３レンズ群Ｇ３と、から構成され、前記第１レンズ群Ｇ１と前記第２レンズ群Ｇ２との間隔及び前記第２レンズ群Ｇ２と前記第３レンズ群Ｇ３との間隔を変化させることにより、焦点距離が前記最も短い状態Ｐ１から中間の状態Ｐ２を経て最も長い状態Ｐ３まで変化し、焦点距離が前記最も短い状態Ｐ１から前記中間の状態Ｐ２までのときに、前記第２開口絞りＳ２が可変となりＦ値を決定し、且つ、前記第１開口絞りＳ１は前記第２レンズ群Ｇ２を構成する前記レンズのなかで最も有効直径の小さいレンズの該有効直径以上の開口状態となり、焦点距離が前記中間の状態Ｐ２から前記最も長い状態Ｐ３までのときに、前記第１開口絞りＳ１が可変となりＦ値を決定し、且つ、前記第２開口絞りＳ２は前記第２レンズ群Ｇ２を構成する前記レンズのなかで最も有効直径の小さいレンズの該有効直径以上の開口状態となる、ことを特徴とするズームレンズを提供する。
【０００６】
本発明では、ズームレンズ内にＦ値を変化させることのできる開口絞りを２個配置し、焦点距離によってどちらか一方を作動させる。このようにすることで、補正されるべき光線が通る範囲を光軸に近い範囲にすることが可能になる。これにより、レンズ径が小さくなり、更に収差補正が容易になり、レンズ枚数やレンズ群数を減らすことが可能となる。
【０００７】
尚、作動させない他方の開口絞りは、大きく開いた状態とし、Ｆ値の変化に関与させない。大きく開いた状態とは、特に、前記第２レンズ群を構成する前記レンズのなかで最も有効直径の小さいレンズの該有効直径以上の開口状態となることを指す。また、大きく開いた状態とは、言い換えると、最低限、通過する開放Ｆ値の光束より大きな開口状態であり、好ましくは、画面中心部及び画面周辺部に到達する結像に有効な光束を含む大きさ以上の開口状態である。
【０００８】
開口絞りが可変となりＦ値を決定することを、言い方を換えると、本発明では、マージナル光線を制約することである。マージナル光線とは、一番縁を通る光線のことで、Ｆ値を決定する光線のことである。また、開口絞りが大きく開いた状態は、言い換えると、マージナル光線を制約しない状態のことである。
【０００９】
尚、本発明では、上述の様に、開口絞りを２個配置し焦点距離によってどちらか一方を作動させる。これは、開口絞りを１個配置し、更にフレアーストッパーとなる絞りを配置した光学系とは異なる。理由は、フレアーストッパーとなる絞りは、焦点距離によらず、常に一定の大きさの開口だからである。
【００１０】
開口絞りは、円形又は多角形が好ましい。
また、レンズは、屈折作用のあるものなら全てが応用可能である。例えば、屈折率分布型レンズ（ＧＲＩＮレンズ）や回折光学素子（ＤＯＥ）がある。
【発明の効果】
【００１１】
本発明によると、簡素な構成で高性能化を実現することができるズームレンズを提供することができる。特に、本発明では、変倍比が６倍或いは８倍以上の高倍率ズームレンズで、効果が大きい。
【００１２】
例えばビデオカメラ、デジタルスチルカメラ等の撮影機能を備えた機器に適用すると、高性能でありながらより低価格とすることができる。特に、監視カメラに応用される場合は更に効果的である。
【図面の簡単な説明】
【００１３】
【図１】本発明の実施形態１に係るズームレンズの構成図である。
【図２】本発明の実施形態１に係るズームレンズの変形例を示す構成図である。
【図３】本発明の実施形態１に係るズームレンズのデータを示す図である。
【図４】本発明の実施形態１に係るズームレンズの諸収差図である。
【図５】本発明の実施形態２に係るズームレンズの構成図である。
【図６】本発明の実施形態２に係るズームレンズのデータを示す図である。
【図７】本発明の実施形態２に係るズームレンズの諸収差図である。
【図８】本発明の実施形態３に係るズームレンズの構成図である。
【図９】本発明の実施形態３に係るズームレンズのデータを示す図である。
【図１０】本発明の実施形態３に係るズームレンズの諸収差図である。
【発明を実施するための形態】
【００１４】
本発明を実施するにあたり、前記第１レンズ群Ｇ１の屈折力は正であり、前記第２レンズ群Ｇ２の屈折力は負であり、前記第３レンズ群Ｇ３の屈折力は正であることが好ましい。これは、開放Ｆ値を大きくし、良好な性能を得るための屈折力配置である。
【００１５】
尚、前記第１レンズ群Ｇ１、前記第２レンズ群及び前記第３レンズ群Ｇ３は、それぞれ更にレンズ群として分割可能である。また、第１レンズ群Ｇ１と第２レンズ群Ｇ２との間に、レンズやレンズ群を追加することも可能であるし、第２レンズ群Ｇ２と第３レンズ群Ｇ３との間に、レンズやレンズ群を追加することも可能であり、それぞれの開口絞りＳ１及びＳ２の前後にレンズを付加することも可能である。
【００１６】
各レンズ群は、複数のレンズによって構成されることが好ましい。これは、性能をより良くするためである。
【００１７】
また、前記第１レンズ群Ｇ１は固定されていることが好ましい。これは、第１レンズ群Ｇ２は、他のレンズ群Ｇ２やＧ３と比べると大きいため、焦点距離を変化させる際に可動としないようにし、構成を簡素化するためである。
【００１８】
前記第１レンズ群Ｇ１の焦点距離をｆＧ１、前記第２レンズ群Ｇ２の焦点距離をｆＧ２とするとき、以下の条件（１）を満足することが好ましい。
０．１３＜｜ｆＧ２／ｆＧ１｜＜０．４７        ・・・（１）
【００１９】
条件（１）は、好適な倍率と良好なレンズ性能とを両立するための条件である。条件（１）の上限を上回ると、球面収差が大きく発生し、更にペッツバール和が大きくなり、像面の平坦性が悪化する。条件（１）の下限を下回ると、高倍率のズームレンズを形成し辛くなる。尚、上限を０．４５、下限を０．１５とすると更に良くなる。
【００２０】
また、焦点距離が前記最も長い状態Ｐ３での値をｆＴとし、焦点距離が前記最も長い状態Ｐ３での前記第２開口絞りＳ２による開放Ｆ値をＦＴとし、前記第１レンズ群Ｇ１の最大有効半径をＹ１とするとき、以下の条件（２）を満足することが好ましい。
ｆＴ／（ＦＴ・Ｙ１）＞１．６５                  ・・・（２）
【００２１】
条件（２）は、小型化と良好なレンズ性能とを両立するための条件である。条件（２）の下限を下回ると、小型化が難しく、更に諸収差が大きく発生してしまう。尚、下限を１．７とすると更に良い結果が得られる。
【００２２】
また、焦点距離が前記中間の状態Ｐ２の場合、前記第１開口絞りＳ１から前記第２レンズ群Ｇ２の最も前記物体側の面までの距離をＬ１とし、前記第２レンズ群Ｇ２の最も前記物体側から離れた面から前記第２開口絞りＳ２までの距離をＬ２としたとき、以下の条件（３）を満足することが好ましい。
０．２≦｜Ｌ１／Ｌ２｜≦５．０                  ・・・（３）
【００２３】
この条件は、２つの開口絞りを使うにあたり、焦点距離が前記中間の状態Ｐ２のとき、良好な収差状態を繋ぐための条件である。
【００２４】
条件の上限及び下限を超えると、各レンズ群、特に第２レンズ群Ｇ２のレンズ構成枚数が多くなったり、大きくなったりして好ましくない。下限を０．２５、上限を４．０とすると更に良い。
【００２５】
以下で説明する各実施形態では、より簡易で分かり易くするため、焦点距離が最も短い状態をワイド端、焦点距離が中間の状態をミドル、焦点距離が最も長い状態をテレ端と呼ぶことにする。また、焦点距離を変化させることをズーミングと呼ぶことにする。
【００２６】
以下に示す各実施形態のレンズは、ワイド端で、光軸Ｚ上に、不図示の物体側から順に、第１レンズ群Ｇ１、第１開口絞りＳ１を有する第２レンズ群Ｇ２、第２開口絞りＳ２、第３レンズ群Ｇ３と配置されており、物体を像面Ｉｍに結像させる。
【００２７】
また、本発明によるズームレンズは、物体の像を一度のみ結像するズームレンズである。途中で中間像を形成することはない。
【００２８】
（実施形態１）
図１を参照しながら、本発明による実施形態１を説明する。尚、図１は、本実施形態のズームレンズ１０の光学系を示す図である。
【００２９】
第１レンズ群Ｇ１は、３群４枚構成により形成される。第１レンズ群Ｇ１は、順に、物体側に凸面を向けた正メニスカスレンズＬ１１と、物体側に凸面を向けた負メニスカスレンズＬ１２と両凸レンズＬ１３との貼り合せレンズと、物体側に凸面を向けた正メニスカスレンズＬ１４と、から構成される。
【００３０】
第２レンズ群Ｇ２は、第１開口絞りＳ１と４群５枚構成のレンズにより形成される。第２レンズ群Ｇ２は、順に、最も物体面側に第１開口絞りＳ１と、物体側に凸面を向けた負メスカスレンズＬ２１と、両凹レンズＬ２２と、両凹レンズＬ２３と両凸レンズＬ２４との貼り合せレンズと、両凸レンズＬ２５と、から構成される。
【００３１】
第３レンズ群Ｇ３は、５群８枚構成により形成される。第３レンズ群Ｇ３は、順に、両凸レンズＬ３１と、両凹レンズＬ３２と両凸レンズＬ３３との貼り合せレンズと、両凹レンズＬ３４と両凸レンズＬ３５との貼り合せレンズと、両凸レンズＬ３６と、両凸レンズＬ３７と物体側に凹面を向けた負メニスカスレンズＬ３８との貼り合せレンズと、から構成されている。
【００３２】
第２開口絞りＳ２は、ワイド端Ｐ１の状態で、第２レンズ群Ｇ２と第３レンズ群Ｇ３との間に配置されている。
【００３３】
ズーミングの際、第１レンズ群Ｇ１は、固定位置であり、移動しない。
【００３４】
第２レンズ群Ｇ２は、ワイド端Ｐ１からテレ端Ｐ３にズーミングする際、徐々に物体面から遠ざかるように移動する。第２レンズ群Ｇ２は、ミドルＰ２を過ぎてテレ端Ｐ３にズーミングするときは、第２開口絞りＳ２を通り越す。このとき、第２開口絞りＳ２は、非常に大きく開いた状態となる。なお、第２レンズ群Ｇ２は、第１レンズ群Ｇ１側に蛇腹構造を有しており、この蛇腹が伸びることで、第２開口絞りＳ２を通り超えることが可能となっている。
【００３５】
本実施形態では、ズーミングの際、第２開口絞りＳ２は、固定位置であり、移動しない。  
【００３６】
第３レンズ群は、ワイド端Ｐ１からミドルＰ２にズーミングする際、徐々に物体面に近づくように移動し、ミドルＰ２からテレ端Ｐ３にズーミングする際、徐々に物体面から遠ざかるように移動する。
【００３７】
第１開口絞りＳ１は、ワイド端Ｐ１からミドルＰ２までズーミングの際に大きく開いた開口状態、例えば直径２５以上となっていて、ミドルＰ２を過ぎてからテレ端Ｐ３までのズーミングの際に可変となりＦ値を決定する。
【００３８】
第２開口絞りＳ２は、ワイド端Ｐ１からミドルＰ２までズーミングの際に可変で、Ｆ値を決定し、ミドルＰ２を過ぎてからテレ端Ｐ３までのズーミングの際に非常に大きく開いた開口状態、例えば直径５０以上となっている。
【００３９】
ミドルＰ２では、第１開口絞りＳ１も第２開口絞りＳ２も、開放Ｆ値６．１となる光束を丁度通す口径の大きさとなる。尚、第１開口絞りＳ１または第２開口絞りＳ２のどちらかが、開放Ｆ値６．１となる光束を丁度通す口径の大きさとっていても構わない。
【００４０】
なお、本実施形態の変形例として、図２に示すようにミドルＰ２からテレ端Ｐ３までのズーミングの際、第２開口絞りＳ２を光軸Ｚ方向に可動とし、第２レンズ群Ｇ２と一緒に第３レンズ群Ｇ３方向に動かす構成とすることも可能である。このとき、第２開口絞りＳ２は、大きく開いた開口状態、例えば直径２５以上となっている。
【００４１】
図３に、本実施形態のデータを示す。図３において、屈折率ｎｄはｄ線（波長５８７．６ｎｍ）での屈折率であり、アッベ数νｄもｄ線（波長５８７．６ｎｍ）でのアッベ数である。以下に示す実施形態２における図６及び実施形態３における図９の屈折率及びアッベ数も同様である。
【００４２】
また、以下に、本実施形態のズームデータを示す。
ワイド端〜ミドル〜テレ端
ｄ１間隔  ２〜９３．３９４〜１３８．３４８
ｄ２１間隔  ９２．３９４〜１〜＊
ｄ２２間隔  ４３．２２６〜２２．６〜＊
ｄ３間隔  １１７．２４２〜１３７．１７７〜１９．１０２
焦点距離  １８．５６１〜１１４．９５３〜９９８．７４２（ｆＴ）
画角  １６°〜２°〜０．２５°
開放Ｆ値  Ｆ４．６〜Ｆ６．１〜Ｆ１８．２（ＦＴ）  
（＊：第１レンズ群Ｇ１最終面〜第１開口絞りＳ１間隔が９６．１９）  
像高  ４．３
また、以下に本実施形態の条件対応値を示す。
ｆＧ１＝174.70、  ｆＧ２＝-38.10、  Ｙ１＝27.50
｜ｆＧ２/ｆＧ1｜＝0.2181
ｆＴ/（ＦＴ・Ｙ１）＝1.995
｜Ｌ１／Ｌ２｜＝1.50
【００４３】
図３は、本実施形態の諸収差を示す図である。（ａ）はワイド端Ｐ１での、（ｂ）はミドルＰ２での、（ｃ）はテレ端Ｐ３での、それぞれの収差を示している。球面収差図で、実線はｄ線（波長５８７．６ｎｍ）、一点鎖線はＣ線（波長６５６．３ｎｍ）、二点鎖線はＦ線（波長４８６．１ｎｍ）のそれぞれの球面収差を示している。非点収差図では、Ｓはサジタル像面、Ｍはメリディオナル像面をそれぞれ示している。歪曲収差図はパーセント表示である。倍率色収差図は、球面収差図同様、一点鎖線はＣ線、二点鎖線はＦ線をそれぞれ示している。尚、以下の実施形態２における諸収差を示す図である図７及び実施形態３における諸収差を示す図である図１０も、同様である。
【００４４】
図３からも分かるように、本実施形態のズームレンズは、良好な性能である。
尚、ピント調節（合焦）は、第３レンズ群Ｇ３の一部を光軸Ｚ方向に動かすことで、行うことが可能である。また、光学系の一部を、光軸Ｚ方向と直行する方向に動かすことで、防振機能を加えることができる。これらは、以下の実施形態２及び３についても同様である。
【００４５】
（実施形態２）
図５を参照しながら、本発明による実施形態２を説明する。尚、図５は、本実施形態のズームレンズ２０の光学系を示す図である。
【００４６】
第１レンズ群Ｇ１は、２群３枚構成により形成される。第１レンズ群Ｇ１は、順に、物体側に凸面を向けた負メニスカスレンズＬ１１と両凸レンズＬ１２との貼り合せレンズと、物体側に凸面を向けたメニスカスレンズＬ１３と、から構成される。
【００４７】
第２レンズ群Ｇ２は、第１開口絞りＳ１と３群５枚構成のレンズにより形成される。第２レンズ群Ｇ２は、順に、物体側に凸面を向けた負メスカスレンズＬ２１と、第１開口絞りＳ１と、両凹レンズＬ２２と、両凸レンズＬ２３と物体側に凹面を向けた負メニスカスレンズＬ２４と物体側に凹面を向けた正メニスカスレンズＬ２５との３枚貼り合せレンズと、から構成される。
【００４８】
第３レンズ群Ｇ３は、５群９枚構成により形成される。第３レンズ群Ｇ３は、順に、両凸レンズＬ３１と両凹レンズＬ３２との貼り合せレンズと、両凸レンズＬ３３と、両凹レンズＬ３４と両凸レンズＬ３５との貼り合せレンズと、両凸レンズＬ３６と、物体面に凸面を向けた負メニスカスレンズＬ３７と両凸レンズＬ３８と物体側に凹面を向けた負メニスカスレンズＬ３９との３枚貼り合せレンズと、から構成されている。
【００４９】
第２開口絞りＳ２は、第２レンズ群と第３レンズ群との間に配置されていて、金物鏡体の構造では第３レンズ群と一緒である。
【００５０】
ズーミングの際、第１レンズ群Ｇ１は、固定位置であり、移動しない。
【００５１】
第２レンズ群Ｇ２は、ワイド端Ｐ１からテレ端Ｐ３にズーミングする際、徐々に物体面から遠ざかるように移動する。
【００５２】
第３レンズ群Ｇ３は、ワイド端Ｐ１からミドルＰ２にズーミングする際、徐々に物体面に近づくように移動し、ミドルＰ２からテレ端Ｐ３にズーミングする際、徐々に物体面から遠ざかるように移動する。
【００５３】
第１開口絞りＳ１は、ワイド端Ｐ１からミドルＰ２までズーミングの際に大きく開いた開口状態、例えば直径１４以上となっていて、ミドルＰ２を過ぎてからテレ端Ｐ３までのズーミングの際に可変となりＦ値を決定する。
【００５４】
第２開口絞りＳ２は、ワイド端Ｐ１からミドルＰ２までズーミングの際に可変で、Ｆ値を決定し、ミドルＰ２を過ぎてからテレ端Ｐ３までのズーミングの際に大きく開いた開口状態、例えば直径１６以上となっている。
【００５５】
ミドルＰ２では、第１開口絞りＳ１も第２開口絞りＳ２も、開放Ｆ値４．１となる光束を丁度通す口径の大きさとなる。尚、第１開口絞りＳ１または第２開口絞りＳ２のどちらかが、開放Ｆ値４．１となる光束を丁度通す口径の大きさとっていても構わない。
【００５６】
図６に、本実施形態のデータを示す。また、以下に、本実施形態のズームデータを示す。
ワイド端〜ミドル〜テレ端
ｄ１間隔  １．３〜４３．６４８〜６６．２８４
ｄ２間隔  ５８．８０９〜６．７８３〜２５．９９８
ｄ３間隔  ５０．０６〜５９．７５６〜１７．９０５
焦点距離  １０．２〜４６．４〜３１７．８（ｆＴ）
画角  ２０°〜４．５°〜０．７°
開放Ｆ値  Ｆ２．５〜Ｆ４．６〜Ｆ９．９（ＦＴ）  
像高  ３．５
また、以下に本実施形態の条件対応値を示す。
ｆＧ１＝86.11、  ｆＧ２＝-19.17、  Ｙ１＝16.00
｜ｆＧ２/ｆＧ１｜＝0.2226
ｆＴ/（ＦＴ・Ｙ１）＝2.006
｜Ｌ１／Ｌ２｜＝0.479
【００５７】
図７は、本実施形態の諸収差を示す図である。図７からも分かるように、本実施形態のズームレンズは、良好な性能である。
【００５８】
（実施形態３）
図８を参照しながら、本発明による実施形態３を説明する。尚、図８は、本実施形態のズームレンズ３０の光学系を示す図である。
【００５９】
第１レンズ群Ｇ１は、３群４枚構成により形成される。第１レンズ群Ｇ１は、順に、物体側に凸面を向けた正メニスカスレンズＬ１１と、物体側に凸面を向けた負メニスカスレンズＬ１２と両凸レンズＬ１３との貼り合せレンズと、物体側に凸面を向けた正メニスカスレンズＬ１４と、から構成される。
【００６０】
第２レンズ群Ｇ２は、第１開口絞りＳ１と４群４枚構成のレンズにより形成される。第２レンズ群Ｇ２は、順に、最も物体面側に第１開口絞りと、両凹レンズＬ２１と、両凹レンズＬ２２と、両凹レンズＬ２３と、両凸レンズＬ２４と、から構成される。
【００６１】
第３レンズ群Ｇ３は、５群８枚構成により形成される。第３レンズ群Ｇ３は、順に、物体側に凹面を向けた正メニスカスレンズＬ３１と、両凹レンズＬ３２と両凸レンズＬ３３との貼り合せレンズと、物体側に凹面を向けた正メニスカスレンズＬ３４と物体側に凹面を向けた負メニスカスレンズＬ３５との貼り合せレンズと、両凸レンズＬ３６と、両凸レンズＬ３７と物体側に凹面を向けた負メニスカスレンズＬ３８との貼り合せレンズと、から構成されている。
【００６２】
第２開口絞りＳ２は、第２レンズ群Ｇ２と第３レンズ群Ｇ３との間に配置されていて、金物鏡体の構造では第３レンズ群Ｇ３と一緒である。
【００６３】
ズーミングの際、第１レンズ群Ｇ１は、固定位置であり、移動しない。
【００６４】
第２レンズ群Ｇ２は、ワイド端Ｐ１からテレ端Ｐ３にズーミングする際、徐々に物体面から遠ざかるように移動する。
【００６５】
第３レンズ群Ｇ３は、ワイド端Ｐ１からミドルＰ２にズーミングする際、徐々に物体面に近づくように移動し、ミドルＰ２からテレ端Ｐ３にズーミングする際、徐々に物体面から遠ざかるように移動する。
【００６６】
第１開口絞りＳ１は、ワイド端Ｐ１からミドルＰ２までズーミングの際に大きく開いた開口状態、例えば直径２８以上となっていて、ミドルＰ２を過ぎてからテレ端Ｐ３までのズーミングの際に可変となりＦ値を決定する。
【００６７】
第２開口絞りＳ２は、ワイド端Ｐ１からミドルＰ２までズーミングの際に可変で、Ｆ値を決定し、ミドルＰ２を過ぎてからテレ端Ｐ３までのズーミングの際に大きく開いた開口状態、例えば直径２４以上となっている。
【００６８】
ミドルＰ２では、第１開口絞りＳ１も第２開口絞りＳ２も、開放Ｆ値５．１となる光束を丁度通す口径の大きさとなる。尚、第１開口絞りＳ１または第２開口絞りＳ２のどちらかが、開放Ｆ値５．１となる光束を丁度通す口径の大きさとなっていても構わない。
【００６９】
図９に、本実施形態のデータを示す。また、以下に、本実施形態のズームデータを示す。
ワイド端〜ミドルポジション〜テレ端
ｄ１間隔  １．５〜７５．７８８〜１４４．１８９
ｄ２間隔  ９６．６０１〜１．１９４〜４７．９８８
ｄ３間隔  １１４．７８１〜１３５．１６６〜１９．１８９
焦点距離  １８．６３７〜７３．９９４〜９９８．５６５（ｆＴ）
画角  １６°〜３．５°〜０．２５°
開放Ｆ値  Ｆ４．７〜Ｆ５．１〜Ｆ１８．２（ＦＴ）
像高４．３
また、以下に本実施形態の条件対応値を示す。
ｆＧ１＝185.20、  ｆＧ２＝-37.01、  Ｙ１＝27.50
｜ｆＧ２/ｆＧ１｜＝0.1998
ｆＴ/（ＦＴ・Ｙ１）＝1.995
｜Ｌ１／Ｌ２｜＝1.68
【００７０】
図１０は、本実施形態の諸収差を示す図である。図１０からも分かるように、本実施形態のズームレンズは、良好な性能である。
【符号の説明】
【００７１】
１０，２０，３０  ズームレンズ
Ｇ１    第１レンズ群
Ｇ２    第２レンズ群
Ｇ３    第３レンズ群
Ｉｍ    像面
Ｌ１１〜Ｌ１４  レンズ
Ｌ２１〜Ｌ２５  レンズ
Ｌ３１〜Ｌ３９  レンズ
Ｓ１    第１開口絞り
Ｓ２    第２開口絞り
Ｚ      光軸
【図１】
2019219450.tif 000003
【図２】
2019219450.tif 000004
【図３】
2019219450.tif 000005
【図４】
2019219450.tif 000006
【図５】
2019219450.tif 000007
【図６】
2019219450.tif 000008
【図７】
2019219450.tif 000009
【図８】
2019219450.tif 000010
【図９】
2019219450.tif 000011
【図１０】
2019219450.tif 000012